(57)【要約】【課題】  テーブル単独でのデザイン的価値が高く、かつ複数を配列したときのレイアウトにもデザイン的価値を見出すことができるとともに、そのレイアウト変更の自由度が高いテーブルを提供する。【解決手段】  天板１は、真上から見たときの外周線の第一側には、天板内側に湾曲する凹区間とその凹区間と同じ曲率で天板外側に湾曲する凸区間１ｂとが変曲点を介して連続する湾曲区間を有し、その外周線の第二側には、凹区間１ａと同じ曲率で天板外側に湾曲する凸区間１ｃを有するとともに、テーブル本体３の側面および底面は、そのテーブル１００を真上から見たときに、天板１によって隠れて見えないように形成されたテーブル１００を複数備えており、これらのテーブル１００は、一方の天板１の凹区間１ａを他のテーブルの凸区間１ｂ、１ｃに密着するように組み合わせて配置することができる。【選択図】  図１
2006043025.tif 000002
【特許請求の範囲】
【請求項１】
テーブル本体の上側に天板を備えるテーブルであって、
前記天板は、その天板を真上から見たときの外周線のうち、第一側には、天板内側に湾曲する凹区間とその凹区間と同じ曲率で天板外側に湾曲する凸区間とが変曲点を介して連続する湾曲区間を有し、前記外周線の第二側には、前記凹区間と同じ曲率で天板外側に湾曲する凸区間で、かつ前記第一側の凸区間よりも長い湾曲区間を有しており、
前記テーブル本体の側面および底面は、そのテーブル本体を真上から見たときに、前記天板によって隠れて見えないように形成されることを特徴とするテーブル。
【請求項２】
前記テーブル本体の側面は、前記テーブル本体の内側方向に曲がった曲面部を有して形成される請求項１に記載のテーブル。
【請求項３】
前記テーブル本体は、内部に収納空間を備える請求項１または２に記載のテーブル。
【請求項４】
前記テーブル本体内部の前記収納空間に設けられる収納部は、前記テーブル本体の側壁部の一部を引出し前板とする引出し型の収納部、または前記テーブル本体の側壁部の一部を開き扉として備える収納部として構成される請求項３に記載のテーブル。
【請求項５】
前記テーブル本体の側面底部には、前記テーブル本体の内側にくぼみ、床面と対面する段部が形成される段差構造を備え、その段部には、床面側に向かって発光する発光部が設けられている請求項１ないし４のいずれか１項に記載のテーブル。
【請求項６】
前記テーブル本体の側面は、光を反射する材質、または表面処理がなされていることを特徴とする請求項１ないし５のいずれか１項に記載のテーブル。
【請求項７】
床面上を移動可能とする移動手段を備える請求項１ないし６のいずれか１項に記載のテーブル。
【請求項８】
前記天板にシンクおよび加熱機器を備える請求項１ないし７のいずれか１項に記載のテーブル。
【請求項９】
請求項１ないし８のいずれか１項に記載のテーブルを複数備え、かつそれらのテーブルの前記天板が同一の高さに設けられており、これらのテーブルが備える前記天板の前記凹区間を、他のテーブルが備える前記凸区間に密着するように配置することができる組み合わせ型のテーブル。
【請求項１０】
請求項７に記載の移動可能なテーブルと、床面に固定される請求項８に記載のテーブルとを備え、かつそれら双方のテーブルの天板が同一の高さに設けられており、一方のテーブルが備える前記天板の前記凹区間を、他方のテーブルが備える前記凸区間に密着するように配置することができる組み合わせ型のテーブル。
【請求項１１】
テーブル本体の側面は、光を反射する材質、または表面処理がなされて形成され、かつ前記テーブル本体の側面底部には、そのテーブル本体の内側にくぼみ、床面と対面する段部を備える段差構造が形成され、その段部には、床面側に向かって発光する発光部が設けられるテーブルを複数備え、
これらのテーブルを互いの側面同士を対面させて配置することで、前記発光部からの光が床面に反射する場合には、その反射した光が互いの側面間で反射を繰り返し、双方の側面にそれらの反射による複数の光の模様が形成されることを特徴とする組み合わせ型のテーブル。
【請求項１２】
前記テーブル本体の側面は、前記テーブル本体の内側方向に曲がった曲面部を有して形成される請求項１１に記載の組み合わせ型のテーブル。
【発明の詳細な説明】
【技術分野】
【０００１】
本発明は、テーブルに関するものであり、特にはキッチンで厨房台・作業台として利用するテーブルに関する。
【背景技術】
【０００２】
従来のテーブルには、複数のテーブルをコンパクトに配置することを目的として設計されたものがある。例えば、特許文献１に記載のテーブルでは、略五角形形状をなす天板の端部に４つの直線部分が形成され、このテーブルを室内に複数配置する際には、その直線状の端部同士を接触させて配置する。これにより、室内にテーブルを密に配置し、省スペース化を図ることを可能としている。また、このように配置されたテーブルは、その全体のレイアウトにもデザイン的な特徴を有する。
【０００３】
【特許文献１】特開２００３−１２５８５２号公報
【発明の開示】
【発明が解決しようとする課題】
【０００４】
近年、こうしたテーブルは、そのデザイン性がより重要視されてようになってきている。ここでのデザイン性とは、テーブル単独でのデザイン性だけでなく、上記文献のテーブルのような、複数のテーブルを組み合わせて配置した際のレイアウトに関するデザイン性も含まれており、これらの向上が望まれている。
【０００５】
また、上記文献のテーブルに関して言えば、テーブルの配置の自由度が低いと言う機能面の問題もある。このテーブルは、複数のテーブルを配置する際に、天板端部の直線部分同士を隙間無く密着させて配置するが、このとき少しでも隙間が生じるように配置されると、テーブルの整然とした配置が崩れ、全体としてのデザイン的価値を大きく損ねてしまう。従って、このテーブルを複数配置する際には、直線部分同士を密着させて、全体のデザイン性を損ねないようにするという制限があり、配置の自由度はそれほど高いものではなかった。このテーブルが、キッチンにおける調理用テーブルやカウンターテーブル等である場合、その使用者にとっては、キッチン全体のレイアウトを任意に決定できるものの方が便利で有り、配置の自由度は高い方が望ましい。
【０００６】
本発明は、上記課題に鑑みてなされたものであり、テーブル単独でのデザイン的価値が高く、かつ複数を配列したときのレイアウトにもデザイン的価値を見出すことができるとともに、そのレイアウト変更の自由度が高いテーブルを提供することを目的とする。
【課題を解決するための手段および発明の効果】
【０００７】
上記課題を解決するために、本発明のテーブルは、テーブル本体の上側に天板を備えるテーブルであって、前記天板は、その天板を真上から見たときの外周線のうち、第一側には、天板内側に湾曲する凹区間とその凹区間と同じ曲率で天板外側に湾曲する凸区間とが変曲点を介して連続する湾曲区間を有し、前記外周線の第二側には、前記凹区間と同じ曲率で天板外側に湾曲する凸区間で、かつ前記第一側の凸区間よりも長い湾曲区間を有しており、前記テーブル本体の側面および底面は、そのテーブル本体を真上から見たときに、前記天板によって隠れて見えないように形成されることを特徴とする。
【０００８】
これにより、上記テーブルと同形状のテーブルをもう一つ用意することで、一方のテーブルの凹区間と他方のテーブルの凸区間とを密着して配置し、両者を一体的に見せることが可能となる。このとき、凹区間と凸区間の少なくとも一部が密着していれば両者は一体的に見えるため、配置の際の自由度は高い。
【０００９】
本発明のテーブルでは、前記テーブル本体の側面は、前記テーブル本体の内側方向に曲がった曲面部を有して形成されていても良い。これにより、テーブル全体を滑らかな曲線で構成することができ、デザイン性の向上を図ることができる。
【００１０】
本発明のテーブルでは、前記テーブル本体は、内部に収納空間を備えることができる。このテーブルは、天板や側面部を含む外形形状にデザイン的な特徴を有するものであり、その内部に収納部を設けてもそのデザイン性を損なうことは無い。従って、テーブル内部に引出しや開き戸型の収納部を設け、機能性の向上を図ることができる。
【００１１】
また、本発明のテーブルでは、前記テーブル本体内部の前記収納空間に設けられる収納部は、前記テーブル本体の側壁部の一部を引出し前板とする引出し型の収納部、または前記テーブル本体の側壁部の一部を開き扉として備える収納部として構成されることができる。テーブルの側面を薄い板材等で形成すると、その内部にはテーブル本体の形状に沿う内壁面を有する内部空間が形成され、これを収納空間とすることができる。この収納空間には、前後スライド式や回転開閉式の引出し型の収納部、あるいは開き扉を有する収納部を設けることができるが、このときその引出しの前板や開き扉は、本発明のテーブルの側面を形成する側壁部の一部を兼ねる形で設けられる。これにより、収納部を設けた場合であっても、本発明のテーブルの側面形状を維持することができる。また、この場合の引出し前板や開き扉は、本発明のテーブルの側面の一部をなすように形成されるため、曲面部を有する特徴的な形状とすることができる。
【００１２】
本発明のテーブルでは、前記テーブル本体の側面底部には、前記テーブル本体の内側にくぼみ、床面と対面する段部が形成される段差構造を備え、その段部には、床面側に向かって発光する発光部を設けることができる。これにより、テーブル底部には、いわゆる蹴込みと呼ばれる段差構造が形成されるとともに、発光部を発光させることでその段差構造を光によって見え難くすることができる。また、この発光部が、テーブル本体の側面の底部周縁にわたって形成されていれば、図２０や図２１に示すように、テーブル全体が浮かんだかのような外観とすることができる。
【００１３】
また、本発明のテーブルでは、前記テーブル本体の側面は、光を反射する材質、または表面処理がなされているとしてもよい。これにより、側面には周りのものが映った化粧面が形成される。また、テーブル底部に発光部が設けられ、かつテーブルが配置される床面が光を反射する場合には、発光部の光は床面に反射し、その反射した光が側面に映る。これにより、側面には発光部からの光による光の模様が形成される。また、このテーブルと同じように光を反射する側面を備えるものをこのテーブルに対して対向配置することで、発光部からの光を互いの側面間で繰り返し反射し、この繰り返しによって、互いの側面に複数の光の模様を生み出すこともできる。
【００１４】
本発明のテーブルは、床面上を移動可能とする移動手段を備えていても良い。同形状のテーブルと組み合わせて配置することが可能な本発明のテーブルでは、底部にキャスターなどの移動手段を設けておくことで、使用者が任意に配置を変更できるようにすることができる。
【００１５】
本発明のテーブルは、前記天板にシンクおよび加熱機器を備えていてもよい。本発明のテーブルは、流し（シンク）や加熱機器を備えるキッチンテーブル、いわゆる厨房台にも適用することが可能である。
【００１６】
本発明の組み合わせ型のテーブルは、上述した構造を有するテーブルを複数備え、かつそれらのテーブルの前記天板が同一の高さに設けられており、これらのテーブルが備える前記天板の前記凹区間を、他のテーブルが備える前記凸区間に密着するように配置することができる。これにより、天板同士を密着して配置することで、テーブルを一体的に見せることができる。また、配置の際の自由度も高い。
【００１７】
また、本発明の組み合わせ型のテーブルは、上記構造をなし、かつ移動手段を備えた移動可能なテーブルと、同じく上記構造をなし、かつ床面に固定されるキッチンテーブルとを備え、かつそれら双方のテーブルの天板が同一の高さに設けられており、一方のテーブルが備える前記天板の前記凹区間を、他方のテーブルが備える前記凸区間に密着するように配置することができる。本発明の組み合わせ型のテーブルは、キッチンで使用するテーブルとすることができ、このとき一方を流し（シンク）や加熱機器を備えるキッチンテーブルとし、他方を作業台やカウンターとして利用できるカウンター型のテーブルとすることができる。配管等が形成されるキッチンテーブルは床面に固定し、カウンター型のテーブルを任意に移動可能とすることで、様々なレイアウトのキッチンを形成することができる。
【００１８】
本発明の組み合わせ型のテーブルは、テーブル本体の側面が、光を反射する材質、または表面処理がなされて形成され、かつ前記テーブル本体の側面底部には、そのテーブル本体の内側にくぼみ、床面と対面する段部を備える段差構造が形成され、その段部には、床面側に向かって発光する発光部が設けられるテーブルを複数備え、これらのテーブルを互いの側面同士を対面させて配置することで、前記発光部からの光が床面に反射する場合には、その反射した光が互いの側面間で反射を繰り返し、双方の側面にそれらの反射による複数の光の模様が形成されることを特徴とすることができる。これにより、テーブルの底部周縁に設けられる発光部を発光させることで、テーブル全体を浮き上がっているかのように見せることができ、このテーブルを室内に複数配置することができる。また、これらのテーブルの側面を対向させて配置することで、発光部から光が互いの側面に映り、テーブル側面に光の模様を形成することができる。さらに、配置によっては、図２０や図２１のように、一方のテーブル側面と他方のテーブル側面との間で光の多重反射が生じ、双方の側面にこの多重反射による複数の光の模様を形成することもできる。
【００１９】
また、本発明の組み合わせ型のテーブルは、前記テーブル本体の側面が、前記テーブル本体の内側方向に曲がった曲面部を有して形成されていてもよい。これにより、対向配置されたテーブルの双方の側面には、光の反射による模様が形成されるが、側面が曲面をなすことでその模様に変化をつけることができる。例えば、図２１に示すような奥行き方向に連続する略円形形状の光の模様を形成することができる。
【発明を実施するための最良の形態】
【００２０】
以下、本発明の実施例を図面を用いて説明する。図１〜図６は、本発明のテーブルを示す六面図（図１から順に、正面図、背面図、右側面図、左側面図、平面図、底面図）である。これらに示すテーブル１００は、テーブル本体３と、その上面側に形成される天板１と、下面側においてテーブル本体３を床面から所定高さ底上げする底部２とを主として構成される。
【００２１】
天板１は、図５の平面図に示すように、天板１を上から見たときの外周線が、天板内側に湾曲する凹区間１ａと、その凹区間１ａと同じ曲率で天板外側に湾曲する凸区間１ｂとが含まれるような形状をなしている。本実施例においては、同図の上側（以下、第一側とも称す）が、凹区間（以下、凹部とも言う）１ａから変曲点を介して凸区間（以下、凸部とも言う）１ｂへと連続する湾曲区間をなし、下側（以下、第二側とも称す）が、凹区間１ａと同じ曲率をなし、かつ上側の凸区間１ｂよりも長い凸区間１ｃをなしている。そして、図５の左右において、これら第一側と第二側とが滑らかに連続するような形状をなしており、天板全体が、いわゆる勾玉のような平面形状をなして形成されている。
【００２２】
テーブル本体３は、図１〜図４、および図６に示すように、側面３ａ〜３ｄによって外周が被われる形で形成される。これらの側面３ａ〜３ｄのうち、特に側面３ａ、３ｃには、天板１の側面から滑らかに連続するような曲面部が広く形成されており、この曲面部は天板１ａから底面３ｅにかけてテーブル本体３の内部方向に屈曲した形状をなしている。これらの側面３ａ〜３ｄは、このテーブル１００を真下から見たとき（図６の底面図参照）に、テーブル本体３の底面３ｅの外周線が、天板１の外周線の内部領域に含まれるように形成されており、テーブル１００を真上から見たとき（図５の平面図参照）に、天板１によって隠れて見えなくなっている。
【００２３】
底部２は、本テーブル１００の底上げ部分であり、いわゆるテーブルの蹴込みを形成する部分である。底部２は、図１〜図４に表れているように、テーブル本体３の側面が内側にくぼんだ段差構造部分であり、テーブル本体３の底面３ｅよりも全体が小さく形成されている。また、この段差構造は、テーブル本体３の底面３ｅの外周部（本発明の段部に相当する）が床面と対面している。この外周部には溝３ｆが形成されており、この溝３ｆの中には、ＬＥＤ（本発明の発光部に相当する）６が床面側に向けて発光するように配置されている。ＬＥＤ６は、弾性変形可能な細長い樹脂材７に所定間隔おきに組み付けられており、この細長い樹脂材７が溝３ｆに沿って圧入されている。なお、この連続して備えられるＬＥＤ６は、図示されない並列配線と電気的に接続されており、図示されない操作スイッチをＯＮ状態とすることで、ＬＥＤ６にはこの配線を介して外部電源から電流が供給され、発光状態となる。
【００２４】
なお、本実施例では、天板１がステンレスの薄板材で形成され、その表面には、同一方向の細かなライン群を形成する表面処理、いわゆるヘアーライン仕上げが施されている。また、側面３ａ〜３ｄもステンレスの薄板材で形成され、その表面には、光が均一に反射するように表面を磨き上げる鏡面仕上げが施されている。これにより、テーブル全体に金属のような質感を与え、テーブル全体に重厚感を備えさせている。なお、本実施例においては、天板および側面に対して所定の表面処理がなされているが、本発明はこれらの表面処理に限定されるものではなく、例えば、表面にチタン材のような風合を醸し出すバイブレーション仕上げ等、ステンレス材に対して行うことが可能な様々な表面処理を施していても良い。また、材料も特にステンレスである必要は無く、テーブルの強度を保つことが可能であれば、他の金属や木材等を利用して形成されていても良く、これらに対して表面処理がなされていてもよい。
【００２５】
このように形成されたテーブルは、同形状のテーブルをもう１つ用意することで、床面上において様々なレイアウトで配置することが可能となる。そして、配置の際には、一方のテーブルの凹部１ａと、他方のテーブルの凸部１ｂ、あるいは凸部１ｃとを密着して配置することで、両テーブルを一体的に見せることが可能である。図７は、本発明のテーブルを２個用いたときの配置の一例を示すものである。
【００２６】
図７の（ａ）では、２つのテーブルの第一側同士を密着させさせた配置であり、一方の凹部１ａに対して他方の凸部１ｂを密着させている。これにより、全体がコンパクトに配置され、略円形形状のテーブルとして利用できる。また、図７の（ｂ）および（ｃ）では、２つのテーブルのうち、一方の第一側と他方の第二側とを密着させた配置であり、一方の凹部１ａに対して他方の凸部１ｃを密着させている。これにより、横長のテーブルとして使用することができる。また、図７の（ｄ）は、図７の（ｂ）の状態よりも凸部１ａと凹部１ｃとの密着面積が小さくなるように、図の上側のテーブルを若干ずらした位置に配置した状態を示している。本発明のテーブルでは、少なくともその凹部（凹区間）１ａの一部分と凸部（凸区間）１ｂ、１ｃの一部分とが密着するように配置されてさえいれば、両者が連続して繋がっているかのような外観となり、双方を一体的に見せることができる。従って、本発明のテーブルは、２つのテーブルが一体的に見えるように配置する場合、テーブルの密着区間の長さを任意に変更して配置できるため、配置の自由度が高いという利点を有する。
【００２７】
なお、本発明のテーブルを少なくとも２以上使用する組み合わせ型のテーブルの場合は、その少なくとも１つを移動可能とすれば、テーブル利用者の状況に応じて任意に配置変更が可能となる。この場合、脚部５にキャスターを用いればよい。
【００２８】
また、上記実施例では、組み合わされる２つのテーブルが同一形状であることを前提として説明しているが、例えば互いテーブルの天板が左右対称の形状をなすものであっても良く、この場合であっても上記のような一体的に見せる配置をすることができる。
【００２９】
また、上記のテーブル１００は、ＬＥＤ６を備えている。このＬＥＤ６を発光させることで、図２０や図２１に示すように、テーブル１００の底部２の側面やその付近の床面が光によって見え難くなり、このテーブル１００を、全体が浮き上がっているかのように見せることができる。また、上記のようにテーブル２つを対向配置することによって、テーブル１００の側面に図２１のような光の模様を形成することもできる。この光の模様は、テーブル１００の底面３ｅの外周周縁に連続的に配置されたＬＥＤ６からの光が床面に反射し、その反射した光が対向配置された２つのテーブルの側面間で、あるいは側面と床面との間で繰り返し反射して生じた模様である。また、側面が曲面として形成されていることにより、この光の模様は、映った位置によっては歪んだ形状として表れている。
【００３０】
なお、本実施例では、発光部としてＬＥＤを用いているが、本発明における発光部は必ずしもＬＥＤである必要は無く、その他の光源を用いても良い。また、本実施例では、天板および側面板にステンレスを用いるとしているが、本発明はこれに限定するものではなく、特に側面に関して言えば、光を反射する材料、あるいは光を反射するようにする表面処理がなされ、発光部からの光を反射することが可能であればよく、更に言えば、少なくとも光が映るような材質、あるいは表面処理がなされていれば良い。
【００３１】
上記で述べた本発明のテーブルは、キッチンで使用する厨房台として使用することができる。以下、キッチンで使用するキッチン台とカウンター台を、上記のようなテーブル構造を有するように形成した実施例について説明する。
【００３２】
図８、図９、図１０、図１１は、本発明のテーブル構造を有するキッチン台を示す図である。これらの図に示すキッチン台２００は、天板１に流し（シンク）２０１や加熱機器（ガスコンロやＩＨクッキングヒーター）２０２を備えた形で構成される（図８参照）。また、上記キッチン台２００では、化粧面を薄い板材によって形成することで内部を中空とすることができる。この内部空間は、キッチン台２００の側面形状を反映した空間となっており、その空間は、４つの仕切り板６０によって３つの空間に仕切られ、その仕切り板６０を左右の壁面とする３つの収納部２１１が形成されている。この収納部２１１の奥側（図９の上側）の壁面は、キッチン台２００の側面３ａの形状をなして形成され、その逆側（図９の下側）には開き扉２２１が設けられている。この開き扉２２１は、キッチン台２００の側面３ｂをなす側壁部の一部分をなすものであるため、通常の扉のような平板形状ではなく、側面３ｂの面形状をなす扉となっている。このように形成された収納部２１１には、例えば、図１０に示すように、ごみ箱３１を配置する、あるいは棚板４０等で上下を仕切り、その棚板４０上に皿３２やコップ３３等を配置する等、キッチンに必要とされるものを収納して使用することができる。なお、棚板４０を配置する場合には、内装パーツ７０の左右の側面壁に、棚板の両端を載せる案内部を形成しておく。
【００３３】
また、図１１は、キッチン台２００の底部に設けられ、キッチン台２００全体を床面上で支持する脚部５ａを示している。脚部５ａは、その上部をなすネジ部５０ａを、固定具５１ａの下板と上板とに設けられたネジ穴に下側から捻じ込む形で固定し、さらにその固定具５１ａを底部２の内壁部２ａに締結具５２ａで固定している。ただし、キッチン台２００は、シンク２０１や加熱機器（ガスコンロやＩＨクッキングヒーター等）と接続される水道配管やガス配管等を備えるため、キッチン台２００全体が床面上を容易に移動可能な状態とすることは好ましくない。従って、脚部５ａは床に固定されていると良い。なお、本実施例においては、キッチン台を床面上で支持しているだけで、特に床面とは固定されてはいないが、キッチン台２００自身の荷重によって容易に移動できないようになっている。
【００３４】
図１２、図１３、図１４、図１５、図１６は、本発明のテーブル構造を有するカウンター台を示す図である。これらの図に示すカウンター台３００は、天板１には特に何も設けられておらず、天板１の上面を作業スペースとする作業台として使用することができる（図１２参照）。さらに、側面３ａ、３ｃ側がカウンター台の内側に屈曲した曲面（図３のテーブル１００の左側参照）を形成しているため、この部分に椅子等を配置して、図１２のようなカウンターテーブルとして使用することもできる。また、このカウンター台３００は、上記キッチン台２００と同様に内部が中空となっており、その内部空間には、下段収納部３１１と上段収納部３１２、３１３が形成されている（図１３参照）。
【００３５】
下段収納部３１１は、上記キッチン台２００の収納部２１１と同様の構造を有しており、カウンター台３００の内部空間が仕切り板６０によって３つの空間に仕切られ、側面３ａ側に図１５に示すような開き扉３２１を備えている。なお、この収納部３１１はペルチェ冷却方式を採用したワインクーラー室、あるいは冷蔵庫として設けられており、ワイン等のビン３４やグラス３３等を収納しておくことができる。一方、上段収納部３１２、３１３は、前後にスライドする引出し型収納部３１２、あるいは回転開閉式の引出し型収納部３１３として形成されており、図１４に示すように、内部にカトラリー３５等を収納することができる。引出し型収納部３１２は、その引出しの前板が、このカウンター台３００の側面３ａをなす側壁部を兼ねるように形成されており、側面３ｂの曲面形状を有している。また、この引出し型収納部３１２の背面側をなす板材は、前板と同形状で、かつ平行な位置に形成されているため、引出し内部の収納空間の奥行き長さが一定とされている。回転開閉式の収納部３１３は、図１４に示す回転軸３１３ａを中心に回転させて開閉する回転開閉型の引出しとして形成されており、この引出しは、全体が図１４、図１５に示すカウンター台３００の右側部分と同じ形状をなして形成されている。なお、この引出しの収納空間を囲む壁部のうち、この引出しの前板となる壁部から回転軸３１３を覆う側面をなす壁部にかけてのみが、カウンター台３００の側面をなす側壁部の一部をなすように形成され、その他の壁部は、このカウンター台３００の側壁部とは別体として形成されている。これにより、この引出しを回転させて開状態とした上で、図１４の上側からカウンター台３００を見たとしても、この引出しが収納されていた内部空間が露出することは無く、カウンター台３００の側壁部（図１４の右上側の側壁部）によって、その内部空間は隠される。
【００３６】
また、図１６は、カウンター台３００の底部２に設けられる脚部５ｂを示している。脚部５ｂは、カウンター台３００の底部２に固定され、カウンター台３００を床面上を移動可能に支持するものである。この脚部５ｂは、内部に車輪を備えるキャスター５０ｂであり、固定具５２ｂによって底部２の内壁部２ｂに固定されている。これにより、位置固定されたキッチン台２００に対して、任意に位置を変えて配置することができる。従って、様々なレイアウトのキッチンを構成することができる。なお、このキャスターには、移動を不可とするストッパーが設けられていても良い。
【００３７】
また、上記収納部２１１および３１１に設けられる棚板は、図１７の（ａ）に示すような波形の棚板とすることができる。この棚板は、波形の凹部が収納スペース、凸部がその収納スペースを仕切る仕切りとなっている。この棚板４０ａは、図１８に示すように、収納部２１１および３１１に設けられたスライド案内部５０の上部と下部に、棚板の両端部４０ｃを挟み、収納部２１１および３１１の奥行き方向にスライドさせて使用したり、収納部３１２、３１３の底に載せて使用するインナートレイとして使用することもできる。また、棚板４０ｂのような広い収納スペースが設けられたものを使用しても良い。なお、本発明のキッチン台２００やカウンター台３００は、側面が曲面をなして形成されている部分もあるため、これらの棚板４０ａ、４０ｂも、その曲面に合うような計上で形成される必要があり、例えば図１７の（ｂ）に示すように、背面側（図の上部）がテーブルの背面形状に沿った曲線形状を有するように構成される。
【００３８】
また、収納部２１１や３１１に配置されるごみ箱３１も、図１０のように収納部の底に置く形で配置するのではなく、例えば、図１７に示す波形の棚板と意匠を合わせるように、図１９に示すような波形の上板を備えるような形状とし、その上板の両端部３１ｃを収納部内部のスライド案内部５０に挟んで配置しても良い。このとき波形の上板の中央部にはごみ投入口となる開口３１ａが形成される。
【００３９】
以上、本発明の実施例を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００４０】
【図１】本発明のテーブルの正面図。
【図２】本発明のテーブルの背面図。
【図３】本発明のテーブルの右側面図。
【図４】本発明のテーブルの左側面図。
【図５】本発明のテーブルの平面図。
【図６】本発明のテーブルの底面図。
【図７】本発明のテーブル２個を組み合わせて配置した状態を説明する説明図。
【図８】本発明のキッチン台の平面説明図。
【図９】本発明のキッチン台の内部構造を説明する第一の説明図。
【図１０】本発明のキッチン台の内部構造を説明する第二の説明図。
【図１１】本発明のキッチン台の脚部を説明する説明図。
【図１２】本発明のカウンター台の平面説明図。
【図１３】本発明のカウンター台の内部構造を説明する第一の説明図。
【図１４】本発明のカウンター台の内部構造を説明する第二の説明図。
【図１５】本発明のカウンター台の内部構造を説明する第三の説明図。
【図１６】本発明のカウンター台の脚部を説明する説明図。
【図１７】本発明のキッチン台、カウンター台に使用する棚板を示す概略図。
【図１８】棚板を本発明のキッチン台、カウンター台に使用した状態を示す説明図。
【図１９】本発明のキッチン台、カウンター台に使用するごみ箱を示す概略図。
【図２０】本発明のキッチン台、カウンター台の使用状態を説明する第一の説明図。
【図２１】本発明のキッチン台、カウンター台の使用状態を説明する第二の説明図。
【符号の説明】
【００４１】
１      天板
２      底部
３      テーブル本体（キッチン台本体、カウンター台本体）
５      脚部
６      ＬＥＤ（発光部）
１００  テーブル
２００  キッチン台
３００  カウンター台
２１１  収納部
３１１  下段収納部
３１２  上段収納部
３１３  上段収納部
【図１】
2006043025.tif 000003
【図２】
2006043025.tif 000004
【図３】
2006043025.tif 000005
【図４】
2006043025.tif 000006
【図５】
2006043025.tif 000007
【図６】
2006043025.tif 000008
【図７】
2006043025.tif 000009
【図８】
2006043025.tif 000010
【図９】
2006043025.tif 000011
【図１０】
2006043025.tif 000012
【図１１】
2006043025.tif 000013
【図１２】
2006043025.tif 000014
【図１３】
2006043025.tif 000015
【図１４】
2006043025.tif 000016
【図１５】
2006043025.tif 000017
【図１６】
2006043025.tif 000018
【図１７】
2006043025.tif 000019
【図１８】
2006043025.tif 000020
【図１９】
2006043025.tif 000021
【図２０】
2006043025.tif 000022
【図２１】
2006043025.tif 000023